(57)【特許請求の範囲】
【請求項１】
側端部において上下方向に延びる折線に沿って一方面側に折り曲げられた折り曲げ片を有する台紙と、
段差部が側面に形成された容器と、
を備え、
前記容器が、前記台紙の一方面側に配置され、前記折り曲げ片の上端縁及び／又は下端縁と前記段差部が係止している、包装体。
【請求項２】
前記容器は、前記台紙側の面の周縁から外方に延びるフランジを有しており、
前記フランジは、前記段差部を構成し前記折り曲げ片を収容する切り欠きが形成されている、請求項１に記載の包装体。
【請求項３】
前記折り曲げ片を覆うよう、前記台紙及び容器に巻回される巻回シートをさらに備える、請求項１又は２に記載の包装体。
【請求項４】
前記台紙の一方面側に、前記容器が複数積層され、
前記折り曲げ片は、前記各容器の段差部とそれぞれ係止する複数の係止部を有している、請求項１〜３のいずれかに記載の包装体。
【請求項５】
前記各容器は、前記台紙の上下方向における位置が異なるよう配置され、
前記各係止部は、対応する前記容器の段差部と係止するよう、上下方向に位置ずれしている、請求項４に記載の包装体。
【発明の詳細な説明】
【技術分野】
【０００１】
本発明は、包装体に関するものである。
【背景技術】
【０００２】
従来、店舗等で販売される商品の包装体としては、商品を樹脂製の容器内に収納し、この容器を台紙に糊等で接着して台紙及び容器を一体化したものが広く用いられている。しかし、このような包装体は、台紙から容器を剥離させた際に容器側に糊や紙残りが生じてしまい、近年、環境問題が深刻化する中、ゴミは分別収集されているが、容器に糊や紙が残ると、分別収集が困難であるという問題があった。このため、台紙及び商品に帯状の巻回シートを巻きつけてシュリンク加工を施すことにより、糊等を用いずに台紙と商品とを固定する包装体が検討されている（例えば、特許文献１参照）。
【先行技術文献】
【特許文献】
【０００３】
【特許文献１】実開平７−４０５３０号公報
【発明の概要】
【発明が解決しようとする課題】
【０００４】
しかしながら、上述したような包装体は、商品と台紙とが糊等で接着されていないため、商品を台紙上の目的の位置に規定することが難しく、加工時に位置ずれが生じるという問題があった。この問題は、商品が容器内に収納されている場合においても同様にあった。
【０００５】
そこで、本発明は、商品を収納する容器を台紙に固定するために糊等の固定手段を使用しなくても、容器を台紙上の目的の位置に規定することが可能な包装体を提供することを課題とする。
【課題を解決するための手段】
【０００６】
本発明に係る包装体は、上記課題を解決するためになされたものであり、側端部において一方面側に折り曲げられた折り曲げ片を有する台紙と、段差部が側面に形成された容器と、を備え、前記容器が、前記台紙の一方面側に配置され、前記折り曲げ片の上端縁及び／又は下端縁と前記段差部が係止している。
【０００７】
上記包装体は、台紙の折り曲げ片の上端縁及び／又は下端縁が容器に設けられた段差部と係止されることで、糊等の固定手段を使用しなくても、容器を台紙上の目的の位置に規定することができる。
【０００８】
また、上記包装体において、容器は、台紙側の面の周縁から外方に延びるフランジを有しており、このフランジは、段差部を構成し折り曲げ片を収容する切り欠きが形成されていてもよい。
【０００９】
また、上記包装体は、折り曲げ片を覆うよう、台紙及び容器に巻回される巻回シートをさらに備えていてもよい。上記包装体であれば、容器を台紙上の目的の位置に規定することができるため、巻回シートによる加工においても容易に製造することができる。なお、本発明において、巻回シートは、容器の段差部から折り曲げ片が外れない程度に折り曲げ片を覆っていればよく、完全に折り曲げ片を覆う必要はない。
【００１０】
また、上記包装体は、台紙の一方面側に容器が複数積層され、折り曲げ片が、各容器の段差部とそれぞれ係止する複数の係止部を有するよう構成することもできる。この場合、各容器が、台紙の上下方向における位置が異なるよう配置され、各係止部の位置を、対応する容器の段差部と係止するよう規定してもよい。
【発明の効果】
【００１１】
本発明によれば、容器を台紙に固定するために糊等の固定手段を使用しなくても、容器を台紙上の目的の位置に規定することができる。
【図面の簡単な説明】
【００１２】
【図１】本実施形態に係る包装体の斜視図である。
【図２】本実施形態に係る包装体における台紙の正面図である。
【図３】本実施形態に係る包装体における容器本体及び蓋体の右側面図である。
【図４】本実施形態に係る包装体における蓋体の背面図である。
【図５】本実施形態に係る包装体における容器本体の底面図である。
【図６】本実施形態に係る包装体における容器本体の正面図である。
【図７】上記実施形態の変形例に係る包装体の斜視図である。
【発明を実施するための形態】
【００１３】
以下、本発明に係る包装体の実施形態について図面を参照しつつ説明する。
【００１４】
本実施形態に係る包装体１０は、図１に示すように、台紙１と、台紙１の一方面１３側に配置された容器２と、台紙１及び容器２に巻回された巻回シート３と、を備えている。
【００１５】
台紙１は、図１及び図２に示すように、上端部に形成された吊り掛け孔（吊り掛け手段）１１と、台紙１の両側端部に形成され、一方面１３側に折り曲げ可能な一対の折り曲げ片１２と、を備えている。
【００１６】
吊り掛け孔１１は、包装体１０を吊り下げる際にフック等が通されるものであり、図２に示すように、台紙１の上端部において横幅方向に延びる長孔部１１１、及びこの長孔部１１１の上端中央に形成された半円切り欠き部１１２により構成されている。吊り掛け孔１１にフック等が通された際、この半円切り欠き部１１２内にフック等が嵌まることにより、吊り下げられた包装体１０が横方向に移動するのを規制することができる。
【００１７】
折り曲げ片１２は、図２に示すように、台紙１の両側端部から外方に矩形状に延びており、台紙１の両側端部に形成された切り込み１５により台紙１の側縁よりも内側に位置する第１の折線１４に沿って、一方面１３側に折り曲げられている。この折り曲げ片１２は、後述する容器２の第１及び第２の切り欠き２２２１，２１４１内に収容される位置及び大きさに形成されている。折り曲げ片１２の長さＬ１は、特に限定されるものではないが、容器２の厚さと同程度であることが好ましく、例えば、容器２の厚さの８０％以上とされる。
【００１８】
容器２は、図１及び図３に示すように、正面視略矩形状をなし、台紙１の一方面１３側に配置されており、台紙１の一方面１３側に対する面（底面）が開口する容器本体２１と、この容器本体２１の開口を開閉可能に閉じる蓋体２２と、を備えている。蓋体２２は、容器本体２１側に突出する周縁部２２５を有しており、この周縁部２２５が容器本体２１の開口に嵌合することで容器本体２１を内側から補強している。蓋体２２の周縁部の角部には、後述する容器本体２１の嵌合凸部２１１１が嵌合する被嵌合凹部２２１が形成されている。蓋体２２は、図４に示すように、周縁から外方に向かって延びる第１のフランジ２２２を有しており、この第１のフランジ２２２の両側端部には、折り曲げ片１２を収容する第１の切り欠き２２２１がそれぞれ形成されている。この第１の切り欠き２２２１は、後述する容器本体２１の第２の切り欠き２１４１とともに、本発明における「段差部」を構成している。ここで、蓋体２２は、一方の第１の切り欠き２２２１内において、開閉時に把持されるつまみ部２２４が形成されていてもよい。この場合、蓋体２２は、縦幅方向に延びる第２の折線２２３を軸にして、つまみ部２２４側の部分が容器本体２１に対して開閉可能に構成されることが好ましい。つまみ部２２４は、第１の切り欠き２２２１内に折り曲げ片１２が収容される際に妨げとならないよう、容器本体２１側に折り曲げ可能となっている。
【００１９】
容器本体２１は、図３及び図５に示すように、台紙１側に位置する基台部２１１と、基台部２１１上に肩部２１３を介して設けられる収納部２１２と、を有している。基台部２１１の側面から収納部２１２の側面までの距離Ｄ１は、特に限定されるものではないが、０．１〜２０ｍｍとされることが好ましい。基台部２１１は、内側面の角部において、蓋体２２の被嵌合凹部２２１に嵌合する嵌合凸部２１１１が形成されている。また、容器本体２１は、図６に示すように、基台部２１１の周縁から外方に向かって延びる第２のフランジ２１４が形成されており、この第２のフランジ２１４の両側端部には、折り曲げ片１２を収容する第２の切り欠き２１４１がそれぞれ形成されている。第２の切り欠き２１４１は、蓋体２２の第１の切り欠き２２２１と形状、及び容器本体２１と蓋体２２とが嵌合したときの位置が一致している。第１及び第２の切り欠き２２２１，２１４１の長さＬ２は、折り曲げ片１２の幅Ｂ１と同じか長ければよく、とくに限定されないが、例えば、０〜５ｍｍ程度長ければよい（図２及び図６）。また、第１及び第２の切り欠き２２２１，２１４１の深さｄ１は、折り曲げ片１２が第１及び第２の切り欠き２２２１，２１４１から外れない程度であればよいが、１ｍｍ以上とされることが好ましい（図６）。
【００２０】
収納部２１２は、図３及び図６に示すように、図３における左側に突出し、図６における横幅方向に延びる第１及び第２の凸部２１２１，２１２２と、この第１の凸部２１２１と第２の凸部２１２２との間に設けられる中間部２１２３と、を有している。また、図３に示すように、この第１及び第２の凸部２１２１，２１２２と中間部２１２３とによって、収納部２１２の横幅方向に亘って側面にまで延びる凹部２１２４が形成されている。ここで、凹部２１２４を形成し、壁面２１２５，２１２６を設けることで、折り曲げ片１２からの押圧力を支持することができるため、変形を防止できる。図６に示すように、第１及び第２の凸部２１２１，２１２２は、第１の凸部２１２１と第２の凸部２１２２との中間部２１２３よりも側面が外側に突出しており、この第１及び第２の凸部２１２１，２１２２の側面２１７，２１８が、第１及び第２の切り欠き２２２１，２１４１内に収容された折り曲げ片１２により支持される。特に、本実施形態のように、壁面２１２５，２１２６が、中間部２１２３との境界を越えて、容器本体１の開口に向けて傾斜しながら延びている場合（図３）、壁面２１２５，２１２６と、基台部２１１及び中間部２１２３の側面との境界により、折り曲げ片１２からの押圧力を支持することができるため、さらに容器２の変形防止効果を高めることができる。
【００２１】
巻回シート３は、図１に示すように、帯状に形成され、折り曲げ片１２を覆うように台紙１及び容器２に巻回されている。この巻回シート３は、特に限定されるものではないが、例えば、ポリエチレン、ポリスチレン、ポリ塩化ビニル、ポリエチレンテレフタレート、ポリプロピレン等の熱収縮能を有する材料で作製することができる。この場合、巻回シート３を、あらかじめリング状に形成し、台紙１及び容器２に巻回し、加熱して収縮させる（シュリンク加工）。また、巻回シート３は台紙１及び容器２に巻きつけてその両端部を重ね合わせ、この重ね合わせた部分を接着するタイプのロールラベルであってもよい。この場合、巻回シート３は、熱収縮能を有していないものであってもよい。本実施形態においては、図１に示すように、容器２の一部を巻回シート３で覆いさえすれば、容器２が台紙１から離れて落下することを防止できる。
【００２２】
このように構成された包装体１０は、容器２に設けられた第１及び第２の切り欠き２２２１，２１４１に台紙１の折り曲げ片１２の上端縁及び／又は下端縁が係止することで、台紙１と容器２とが係止する。
【００２３】
以上のように、本実施形態に係る包装体１０は、容器２に設けられた第１及び第２の切り欠き２２２１，２１４１が台紙１の折り曲げ片１２の上端縁及び／又は下端縁と係止し、台紙１と容器２とが係止することによって、糊等の固定手段を使用しなくても、容器２を台紙１上の目的の位置に規定することができる。
【００２４】
また、容器本体２１の収納部２１２が肩部２１３を介して基台部２１１上に形成されていることにより、折り曲げ片１２の収納部２１２の側面への当接を避け、肩部２１３及び基台部２１１により折り曲げ片１２を支持することができるため、巻回シート３の締め付けにより台紙１の折り曲げ片１２が容器２中央側に押圧されたとしても、折り曲げ片１２により収納部２１２が変形するのを防止することができる。とくに、包装体１０のように折り曲げ片１２の長さＬ１が容器２の厚みと同等か、それ以上に長い場合には、折り曲げ片１２が収納部２１２の側面に当接することを避け、強度の高い部位である、天面２１５，２１６と凸部２１２１，２１２２の側面２１７，２１８の境界（図６）及び肩部２１３により折り曲げ片１２を支持することができる。そのため、収納部２１２の変形防止効果を高めることができる。
【００２５】
上記包装体１０は、容器本体２１の開口に嵌合する蓋体２２が容器本体２１を内側から補強するため、容器本体２１が巻回シート３及び折り曲げ片１２に押圧されて変形するのを抑制することができる。とくに、蓋体２２が全体的に容器本体２１側に突出して形成される場合に比べて、本実施形態に係る蓋体２２のように、周縁部２２５が蓋体２２の周縁に沿って凸状に形成されている方が、蓋体２２の強度を高めることができるため、好ましい。
【００２６】
上述した容器本体２１の押圧力に対する強度を高める構造は、巻回シート３の素材が熱収縮能を有する材料であって、熱収縮により押圧力が高まり、容器本体２１を変形させる力が大きくなる場合や、容器２が可撓性を有する素材からなるブリスター容器である場合において、特に有効である。
【００２７】
本実施形態のように、容器２が凹部２１２４を有する容器であって、折り曲げ片１２の長さＬ１が容器２の厚みと概ね同じ場合、当該凹部２１２４を台紙１の折り曲げ片１２が側方から覆うことにより、折り曲げ片１２に巻回された巻回シート３が凹部２１２４内に沈み込まず、巻回シート３に張りを与えることができる。このため、巻回シート３にシワが生じるのを防止することができ、巻回シート３の広い範囲に表示を施すことができる。
【００２８】
以上、本発明の実施形態について説明したが、本発明はこれらに限定されるものではなく、本発明の趣旨を逸脱しない限りにおいて種々の変更が可能である。例えば、上記実施形態においては、包装体１０は台紙１及び容器２に巻回された巻回シート３を備えていたが、容器２を台紙１上の目的の位置に規定することができるのであれば、巻回シート３を備えていなくてもよい。また、上記実施形態においては、第１及び第２のフランジ２２２，２１４に形成された第１及び第２の切り欠き２２２１，２１４１が台紙１の折り曲げ片１２を収容していたが、折り曲げ片１２の上端縁及び／又は下端縁と容器とを係止させることができればこれに限定されず、例えば、第１及び第２の切り欠き２２２１，２１４１が第１及び第２のフランジ２２２，２１４の下端まで延びていてもよいし、また、容器２に第１及び第２のフランジ２２２，２１４を設けずに容器２の側面に凹部又は段差を形成し、この凹部又は段差と折り曲げ片１２とを係止させてもよい。
【００２９】
また、上記実施形態において、容器２は、容器本体２１の開口に嵌合する蓋体２２を有していたが、この蓋体２２を有していなくてもよい。また、容器２の底面を開口させる必要は特になく、容器２の全ての面が閉じていてもよいが、この場合、容器２内に収納された物品を取り出せるよう、少なくともの１つの面が開閉可能であることが好ましい。
【００３０】
また、上記実施形態において、容器２は、肩部２１３を介して収納部２１２が形成される基台部２１１を有していたが、この基台部２１１を有していなくてもよい。
【００３１】
また、上記実施形態において、容器２は、第１及び第２の凸部２１２１，２１２２及び凹部２１２４が形成されていたが、これに限定されず、例えば、凹凸のない矩形状や円筒状等、種々の形状とすることができる。
【００３２】
また、上記実施形態において、台紙１は、両側端部に折り曲げ片１２が形成されていたが、これに限定されず、台紙１の一方の側端部にのみ折り曲げ片１２を設けることもできる。
【００３３】
また、上記実施形態においては、折り曲げ片１２の長さＬ１は容器２の厚みと同程度の長さを有していたが、容器２を台紙１上の目的の位置に規定することができるのであれば、当該長さは特に限定されない。例えば、折り曲げ片１２の長さＬ１はさらに短くてもよいし、容器２の厚みより長くてもよく、また、一方の折り曲げ片１２の先端が他方の折り曲げ片１２の先端と繋がっていてもよい。
【００３４】
また、上記実施形態において、台紙１の折り曲げ片１２は、台紙１の両側端部に形成された切り込み１５により、台紙１の側縁より内側で折り曲げられていたが、台紙１に切り込み１５を形成せず、台紙１の側縁に沿って折り曲げられていてもよい。
【００３５】
また、上記実施形態において、台紙１は、上端部に吊り掛け孔１１が形成されていたが、吊り掛け孔１１はなくてもよい。また、吊り掛けることができる仕様とする場合には、包装体１０を吊り下げられるような吊り下げ手段を有していればこれに限定されず、例えば台紙１の上端にリング等が取り付けられていてもよい。
【００３６】
また、上記実施形態において、台紙１には１つの容器２が配置されていたが、図７に示す包装体１００のように、台紙１上に複数の容器を積層することもできる。包装体１００は、第１及び第２の容器２ａ，２ｂが上下方向（縦幅方向）の位置をずらして積層されており、台紙１には、この第１及び第２の容器２ａ，２ｂと係止する折り曲げ片１２０が設けられている。折り曲げ片１２０は、第１及び第２の容器２ａ，２ｂそれぞれと係止する第１及び第２の係止部１２０１，１２０２を有しており、この第１及び第２の係止部１２０１，１２０２は、第１及び第２の容器２ａ，２ｂの切り欠き２２２１，２１４１内に収容されるよう、上下方向（縦幅方向）に位置が規定されている。また、上記包装体１００は、容器が３つ以上積層されていてもよく、この場合、台紙１の折り曲げ片１２０には容器の数と同じ数の係止部が設けられる。さらに、図７においては、第１及び第２の係止部１２０１，１２０２は上下方向において高さが異なり、第１及び第２の容器２ａ，２ｂは上下方向の位置をずらして積層されているが、例えば、第１及び第２の係止部１２０１，１２０２は同じ高さでもよい。つまり、複数の容器を台紙１に配置する場合、折り曲げ片１２０により当該容器が係止されていれば、特にその形状は限定されない。
【符号の説明】
【００３７】
１０，１００         包装体
１                   台紙
１２，１２０         折り曲げ片
２                   容器
２１                 容器本体
２１１               基台部
２１２               収納部
２１３               肩部
２２２，２１４       フランジ
２２２１，２１４１   切り欠き
３                   巻回シート
【図１】
0005946266.tif 000002
【図２】
0005946266.tif 000003
【図３】
0005946266.tif 000004
【図４】
0005946266.tif 000005
【図５】
0005946266.tif 000006
【図６】
0005946266.tif 000007
【図７】
0005946266.tif 000008